(57)【要約】【課題】低コスト化を図ることができるとともに、紛失することを防止できる取付具及び当該取付具を備えた電子機器の取付構造を提供する。【解決手段】電子機器の取付構造は警報連動装置と取付具３を備えている。取付具３は本体部１２と係止突起１３と湾曲部１４を備えている。本体部１１は中実の棒状に形成され一対の平行部１５と連結部１６を備えている。係止突起１３は平行部１５の一端から凸に形成されて警報連動装置の機器本体の背面に設けられた係止溝に係止する。係止突起１３は本体部１２が背面に重なる状態と背面から突出する状態とに亘って変位するように本体部１２を回転自在にする。連結部１６は平行部１５の他端同士を連結している。湾曲部１４は連結部１６の中央部に設けられている。【選択図】図１
2008276534.tif 000002
【特許請求の範囲】
【請求項１】
電子機器を水平面から立設した状態と鉛直面に平行な状態との双方に位置付けることを可能とする取付具において、
本体部と、
前記本体部に設けられ、かつ前記電子機器に回転自在に取り付けられて、前記本体部を前記電気機器の背面に重なる状態と前記背面から立設した状態とに亘って変位自在にする回転取付部とを備えたことを特徴とする取付具。
【請求項２】
前記本体部が棒状に形成されて、前記回転取付部が前記本体部の両端部それぞれに設けられていることを特徴とする請求項１記載の取付具。
【請求項３】
前記本体部の中央部に前記回転取付部から離れる方向に湾曲した湾曲部が設けられていることを特徴とする請求項２記載の取付具。
【請求項４】
前記本体部が、一端に前記回転取付部を設けて互いに平行な一対の平行部と、前記平行部の他端同士を連結した連結部とを備えたことを特徴とする請求項２又は請求項３記載の取付具。
【請求項５】
電子機器と、前記電子機器を設置するための取付具３とを備えた電子機器の取付構造において、
取付具として、請求項１乃至請求項４のうちいずれか一項に記載の取付具を備えたことを特徴とする電子機器の取付構造。
【発明の詳細な説明】
【技術分野】
【０００１】
本発明は、火災警報器、ガス漏れ警報器、防犯機器等の異常状態検出装置と連動する警報連動装置などの電子機器を固定するための取付具及び当該取付具を備えた電子機器の取付構造に関するものである。
【背景技術】
【０００２】
従来から家宅等には、ガスメータやガス漏れ警報器等が設置されており、それらによって把握されるガスの使用量やガス漏れ発生の有無は、従来はスタンドアローンでそれぞれの機器において把握されているのみであったが、その後、遠隔地での集中監視の普及により、遠隔地の集中監視地点に電話回線等を介して接続された集中監視盤に、個別に有線接続されるケースが増え始めた。さらに近年では、設置箇所の自由度を向上させるために、無線装置を介してガス漏れ警報器やガスメータ等を集中監視盤に無線接続する構成が提案されるに至った（特許文献１参照）。
【０００３】
また、複数の火災警報器を無線で連動させ、どこか１カ所で火災が検出されたときに、「火事です！」というメッセージを報知する火災システムが知られている。さらに、家宅によっては、ドア、窓等に設けられた防犯センサによる異常の検出に応じて「泥棒！１１０番！」等のメッセージを流す防犯システムが知られている。
【０００４】
そこで、家宅等に複数のシステムを設けた場合に、例えば火災警報器から「泥棒！１１０番！」等のメッセージを報知することが検討されてきたが、現状の法律では消防庁の管轄する火災警報器で警察庁の管轄の防犯機器が発するメッセージを出力することは認められない。
【０００５】
また、例えば、深夜等に２階の寝室で就寝中に、誰もいないはずの１階から物音が聞こえた場合、１階に降りて確認すればよいが、居直り強盗化するおそれもあり、安易に１階に見に行くわけにもいかないのが現状である。さらに、老人が深夜にトイレ等で気分が悪くなった場合、如何に早く同居者に知らせることが重要であるが、現状では専用のシステムを家宅等に設ける必要があり、システムが複雑化してしまうという問題があった。
【０００６】
このため、本発明の出願人は、ガス漏れ警報器、火災警報器や防犯機器などの異常状態検出装置と無線などで通信して、当該異常状態検出装置の異常状態の検出時にブザーなどを鳴らすとともに、異常状態検出装置のブザーなどを遠隔操作可能な電子機器としての警報連動装置を提案している。
【０００７】
前述した警報連動装置などの電子機器は、水平なテーブル上に設置されたり、鉛直な壁面上に設置される。前述した電子機器を設置する際には、水平なテーブル上に設置するための取付具と、鉛直な壁面上に設置するための取付具（特許文献２参照）が用いられてきた。
【特許文献１】特開平６−８５９３８号公報
【特許文献２】特開平１１−１３３８８３号公報
【発明の開示】
【発明が解決しようとする課題】
【０００８】
前述したように、電子機器をテーブル上に設置する場合と、鉛直な壁面上に設置する場合とで、それぞれ、専用の取付具を用いてきた。即ち、電子機器をテーブル上に設置するための取付具と、鉛直な壁面上に設置するための取付具とが、互いに別体であった。このため、取付具の種類が増加して、当該取付具のコストが高騰するとともに、電子機器をテーブル上に設置する場合と壁面上に設置する場合とを適宜切り換えると、二種類の取付具を適宜電子機器に着脱するので、取付具を紛失する恐れがあった。
【０００９】
したがって、本発明の目的は、低コスト化を図ることができるとともに、紛失することを防止できる取付具及び当該取付具を備えた電子機器の取付構造を提供することにある。
【課題を解決するための手段】
【００１０】
前記課題を解決し目的を達成するために、請求項１に記載の本発明の取付具は、電子機器を水平面から立設した状態と鉛直面に平行な状態との双方に位置付けることを可能とする取付具において、本体部と、前記本体部に設けられかつ前記電子機器に回転自在に取り付けられて前記本体部を前記電気機器の背面に重なる状態と前記背面から立設した状態とに亘って変位自在にする回転取付部とを備えたことを特徴としている。
【００１１】
請求項２に記載の本発明の取付具は、請求項１に記載の取付具において、前記本体部が棒状に形成されて、前記回転取付部が前記本体部の両端部それぞれに設けられていることを特徴としている。
【００１２】
請求項３に記載の本発明の取付具は、請求項２に記載の取付具において、前記本体部の中央部に前記回転取付部から離れる方向に湾曲した湾曲部が設けられていることを特徴としている。
【００１３】
請求項４に記載の本発明の取付具は、請求項２又は請求項３に記載の取付具において、前記本体部が、一端に前記回転取付部を設けて互いに平行な一対の平行部と、前記平行部の他端同士を連結した連結部とを備えたことを特徴としている。
【００１４】
請求項５に記載の本発明の電子機器の取付構造は、電子機器と、前記電子機器を設置するための取付具とを備えた電子機器の取付構造において、取付具として、請求項１乃至請求項４のうちいずれか一項に記載の取付具を備えたことを特徴としている。
【発明の効果】
【００１５】
以上説明したように請求項１に記載の本発明によれば、回転取付部が本体部を回転自在に電子機器に取り付けて、この本体部を電子機器の背面に重なる状態と背面から立設する状態とに亘って変位自在とする。このため、本体部を電子機器の背面に重なる状態に位置付けて当該本体部を鉛直面に取り付けることで、電子機器を鉛直面に設置することができる。また、本体部を電子機器の背面から立設する状態に位置付けて、当該本体部で電子機器を支えることで水平面上に電子機器を設置することができる。
【００１６】
このように、取付具は、水平面上と鉛直面上との双方に電子機器を設置することができるので、当該取付具の種類を抑制して、取付具の低コスト化を図ることができるととともに、取付具の電子機器への着脱を頻繁に行う必要がなくなるので、取付具を紛失することを防止できる。
【００１７】
請求項２に記載の本発明によれば、回転取付部を棒状の本体部の両端部に設けているので、取付具を２箇所で電子機器に取り付けるので、当該取付具を確実に電子機器に取り付けることができる。
【００１８】
請求項３に記載の本発明によれば、本体部の中央部に回転取付部から離れる方向に湾曲した湾曲部を設けているので、湾曲部に鉛直面に取り付けられた木ねじやフックを引っ掛けることで、容易に取付具即ち電子機器を鉛直面に取り付けることができる。
【００１９】
請求項４に記載の本発明によれば、本体部が互いに平行な平行部と平行部同士を連結した連結部とを備えてコ字状に形成されているので、水平面上に電子機器を設置する際の水平面との接触面積を確保でき、電子機器を倒れることなく水平面上に設置することができる。
【００２０】
請求項５に記載の本発明によれば、前述した取付具を備えているので、取付具の低コスト化を図ることができるととともに、取付具を紛失することを防止できる。
【発明を実施するための最良の形態】
【００２１】
以下、本発明の一実施形態にかかる取付具及び電子機器の取付構造を図１乃至図１２を参照して以下に説明する。
【００２２】
電子機器の取付構造１は、図５乃至図１２に示すように、電子機器としての警報連動装置２と、取付具３とを備えて、警報連動装置２を水平方向に沿った水平面としてのテーブル４上や鉛直方向に沿った鉛直面としての建造物の壁面上に設置する構造である。
【００２３】
警報連動装置２は、図５及び図６などに示すように、扁平な箱状に形成されている。警報連動装置２は、箱状の機器本体６と、当該機器本体６内に収容される各種の電子部品などを実装した印刷配線板などの機能部品と、ブザー７と、押しボタン８などを備えている。ブザー７と押しボタン８は、機器本体６の前面６ａ（図５中に手前側に示す）に露出した格好で配置されている。
【００２４】
また、機器本体６の前面６ａの裏側の背面６ｂには、この背面６ｂから凹に形成された格好の一対のレール部９と、連結凹部１０とが設けられている。即ち、レール部９と連結凹部１０は、背面６ｂを構成して当該背面６ｂの一部である。レール部９は、それぞれ、直線状に延在しており、互いに平行に配置されている。レール部９は、警報連動装置２の幅方向に沿って互いに間隔をあけて配置され、かつ図１０中の上下方向に沿って直線状に延びている。レール部９の内面には、図１２に示すように、この内面から凹でかつ取付具３の後述する係止突起１３が係止する係止溝１１が設けられている。この係止溝１１は、勿論、直線状に延在しており、一対のレール部９と同様に互いに平行に配置されている。係止溝１１は、図示例では、一対のレール部９の互いに最も離れた内面に設けられている。
【００２５】
連結凹部１０は、機器本体６の図９及び図１２中の上端部に設けられ、一対のレール部９同士を連結した格好に形成されている。連結凹部１０は、一対のレール部９間に位置しかつ図９及び図１２中の上側に位置する縁部の全長に設けられている。
【００２６】
前述した警報連動装置２は、ガス漏れ警報器、火災警報器や防犯機器などの異常状態検出装置と無線などで通信する。警報連動装置２は、前述した異常状態検出装置の異常状態の検出時にブザー７などを鳴らすとともに、押しボタン８が押圧されることで異常状態検出装置のブザーを遠隔操作して鳴らす。
【００２７】
取付具３は、図１乃至図４に示すように、中実の棒状に形成された本体部１２と、回転取付部としての係止突起１３と、湾曲部１４とを備えている。
【００２８】
本体部１２は、互いに平行な一対の平行部１５と、一対の平行部１５同士を連結した連結部１６とを一体に備えている。平行部１５と連結部１６とは、それぞれ、直線状に延在しているとともに、互いの長手方向が直交している。連結部１６は、平行部１５の他端同士を連結している。本体部１２は、一対の平行部１５と連結部１６とを備えて、図１及び図２に示すように、コ字状に形成されている。
【００２９】
係止突起１３は、本体部１２の平行部１５の連結部１６から離れた一端に設けられている。係止突起１３は、それぞれ、円柱状に形成され、かつ一対の平行部１５から互いに離れる方向に凸に形成されている。係止突起１３は、一対の平行部１５それぞれの一端に設けられていることで、本体部１２の両端部それぞれに設けられている。係止突起１３は、係止溝１１内に侵入することで、一対のレール部９に係止する。係止突起１３は、レール部９に係止して、警報連動装置２に取り付けられる。
【００３０】
本体部１２即ち取付具３は、警報連動装置２に取り付けられると、係止突起１３を中心として回転自在となる。係止突起１３は、警報連動装置２に回転自在に取り付けられることで、図９乃至図１２に示す本体部１２が機器本体６の背面６ｂに重なる状態と、図６及び図７に示す本体部１２が機器本体６の背面６ｂから立設した状態とに亘って、本体部１２を変位自在とする。
【００３１】
また、係止突起１３は、レール部９内に係止すると、係止溝１１内を移動自在となる。本体部１２即ち取付具３は、警報連動装置２に取り付けられると、係止突起１３が係止溝１１内を移動することで、レール部９の長手方向に沿って移動自在となる。
【００３２】
湾曲部１４は、連結部１６の長手方向の中央部即ち本体部１２の中央部に設けられている。湾曲部１４は、連結部１６の長手方向の中央部即ち本体部１２の中央部が係止突起１３から離れる方向に湾曲して形成されている。湾曲部１４は、連結部１６の長手方向の中央部即ち本体部１２の中央部が半円形に湾曲して形成されている。
【００３３】
前述して取付具３を用いて、電子機器としての警報連動装置２を以下のように設置する。まず、係止突起１３を係止溝１１内に侵入させて、レール部９に係止させる。そして、警報連動装置２を、水平面としてのテーブル４上（勿論、水平方向に沿った面上）に設置する場合には、図６及び図７に示すように、本体部１２の連結部１６などを警報連動装置２の機器本体６の背面６ｂから突出させた状態に位置付ける。勿論、本体部１２が係止突起１５から離れるのにしたがって徐々に警報連動装置２の背面６ｂからより突出した状態となる。このように、本体部１２を警報連動装置２の背面６ｂから突出した状態に位置付ける。そして、本体部１２に設けられた湾曲部１４と機器本体６の図５中下縁をテーブル４上に重ねて、図５に示すように、警報連動装置２をテーブル４上に設置する。
【００３４】
また、警報連動装置２を、鉛直面としての壁面上（勿論、鉛直方向に沿った面上）に設置する場合には、まず、図９に示すように、本体部１２を背面６ｂに重ねて、平行部１５をレール部９内に収容しかつ連結部１６を連結凹部１０内に位置付ける。そして、係止突起１３を係止溝１１内で移動させて、図１０乃至図１２に示すように、連結部１６即ち湾曲部１４を警報連動装置２の上縁から最も突出させる。そして、壁面上に設置された木ねじやフックに湾曲部１４を引っ掛けて、警報連動装置２を鉛直面としての壁面上に設置する。こうして、取付具１は、警報連動装置２をテーブル４から立設した状態と壁面に平行な状態との双方に位置付けることを可能とする。
【００３５】
本実施形態によれば、係止突起１３が本体部１２を回転自在に警報連動装置２に取り付けて、この本体部１２を警報連動装置２の背面６ｂに重なる状態と背面６ｂから立設する状態とに亘って変位自在とする。このため、本体部１２を警報連動装置２の背面６ｂに重なる状態に位置付けて当該本体部１２を鉛直面としての壁面に取り付けることで、警報連動装置２を壁面に設置することができる。また、本体部１２を警報連動装置２の背面６ｂから立設する状態に位置付けて、当該本体部１２で警報連動装置２を支えることで水平面としてのテーブル４上に電子機器を設置することができる。
【００３６】
このように、取付具３は、テーブル４上と壁面上との双方に警報連動装置２を設置することができるので、当該取付具３の種類を抑制して、取付具３の低コスト化を図ることができるととともに、取付具３の警報連動装置２への着脱を行う必要がなくなるので、取付具３を紛失することを防止できる。
【００３７】
また、係止突起１３を棒状の本体部１２の両端部に設けているので、取付具３を２箇所で警報連動装置２に取り付けることとなり、当該取付具３を確実に警報連動装置２に取り付けることができる。
【００３８】
取付具３の本体部１２の中央部に係止突起１３から離れる方向に湾曲した湾曲部１４を設けているので、湾曲部１４に壁面に取り付けられた木ねじやフックを引っ掛けることで、容易に取付具３即ち警報連動装置２を壁面に取り付けることができる。
【００３９】
本体部１２が互いに平行な平行部１５と平行部１５同士を連結した連結部１６とを備えてコ字状に形成されているので、テーブル４上に警報連動装置２を設置する際のテーブル４との接触面積を確保でき、警報連動装置２を倒れることなくテーブル４上に設置することができる。
【００４０】
また、電子機器の取付構造１は、前述した取付具３を備えているので、取付具３の低コスト化を図ることができるととともに、取付具３を紛失することを防止できる。さらに、電子機器の取付構造１は、警報連動装置２の廃棄時などに、取付具３を警報連動装置２から取り外して、当該取付具３を新たな警報連動装置２に取り付けて用いることができる。即ち、取付具３は、機器本体２に着脱自在であるので、警報連動装置２の使用後に回収されて、再利用が可能である。
【００４１】
なお、上述した実施形態では、電子機器としての警報連動装置２を示している。しかしながら、本発明では、警報連動装置２以外の種々の電子機器を取り付けも良い。また、本発明では、テーブル４上に限らず種々の水平方向に沿った水平面に設置しても良く、壁面上に限らず種々の鉛直方向に沿った鉛直面に設置しても良い。また、本発明では、取付具１を、金属や合成樹脂などの如何なる材料で構成しても良い。
【００４２】
このように上述した実施形態は、本発明の代表的な形態を示したに過ぎず、本発明は、実施形態に限定されるものではない。即ち、本発明の骨子を逸脱しない範囲で種々変形して実施することができる。
【図面の簡単な説明】
【００４３】
【図１】本発明の一実施形態にかかる取付具の斜視図である。
【図２】図１に示された取付具の正面図である。
【図３】図２中の矢印ＩＩＩ方向から見た側面図である。
【図４】図２中の矢印ＩＶ方向から見た底面図である。
【図５】図１に示された取付具で警報連動装置をテーブル上に設置した状態を示す電子機器の取付構造の正面図である。
【図６】図５中の矢印ＶＩ方向から見た側面図である。
【図７】図５中のＶＩＩ−ＶＩＩ線に沿う断面図である。
【図８】図１に示された取付具で警報連動装置を壁面上に設置する状態を示す電子機器の取付構造の斜視図である。
【図９】図８に示された電子機器の取付構造の背面からみた斜視図である。
【図１０】図８に示された電子機器の取付構造の正面図である。
【図１１】図１０中の矢印ＸＩ方向から見た側面図である。
【図１２】図１１中の矢印ＸＩＩ方向から見た背面図である。
【符号の説明】
【００４４】
１  電子機器の取付構造
２  警報連動装置（電子機器）
３  取付具
４  テーブル（水平面）
１２  本体部
１３  係止突起（回転取付部）
１４  湾曲部
１５  平行部
１６  連結部
【図１】
2008276534.tif 000003
【図２】
2008276534.tif 000004
【図３】
2008276534.tif 000005
【図４】
2008276534.tif 000006
【図５】
2008276534.tif 000007
【図６】
2008276534.tif 000008
【図７】
2008276534.tif 000009
【図８】
2008276534.tif 000010
【図９】
2008276534.tif 000011
【図１０】
2008276534.tif 000012
【図１１】
2008276534.tif 000013
【図１２】
2008276534.tif 000014